(57)【要約】【課題】ネットワーク状に互いに接続されている複数の高速道路と、ネットワーク高速道路と分離されている孤立高速道路とをそれぞれ強調表示する際に、それらの高速道路の接続関係が不自然にならないようにする。【解決手段】表示モニタ１６には、ネットワーク高速道路２１ｂ〜２１ｄと孤立高速道路２１ａとが強調表示される。また、ネットワーク高速道路２１ｂ〜２１ｄの出入口と孤立高速道路２１ａの出入口とを接続する高速間一般道路２２ａ，２２ｂを抽出して他の一般道路に比べて強調表示する。【選択図】図２
2009257878.tif 000002
【特許請求の範囲】
【請求項１】
一般道路と、高速道路および有料道路を含む特定道路とを記憶する記憶手段と、
前記記憶手段に記憶した特定道路のうち、他の特定道路と分離されている特定道路（以下、孤立特定道路）の出入口と、前記他の特定道路の出入口との間を接続する前記一般道路を特定道路間道路として抽出する抽出手段と、
前記特定道路および前記抽出された特定道路間道路を前記一般道路に比べて強調して表示する表示データを作成する表示データ作成手段と、
前記作成された表示データに基づいて表示モニタに地図を表示する地図表示制御手段とを備えることを特徴とする地図表示装置。
【請求項２】
請求項１に記載の地図表示装置において、
前記抽出手段は、前記孤立特定道路の出入口と、前記他の特定道路の出入口との間が所定距離内であることを条件として前記特定道路間道路を抽出することを特徴とする地図表示装置。
【請求項３】
一般道路と、高速道路および有料道路を含む特定道路とを記憶する記憶手段と、
前記記憶手段に記憶した特定道路のうち、他の特定道路と分離されている特定道路（以下、孤立特定道路）の出入口と、前記他の特定道路の出入口との間を接続する前記一般道路を特定道路間道路として抽出する抽出手段と、
前記特定道路および前記抽出された特定道路間道路を前記一般道路に比べて強調した地図の表示データを作成する表示データ作成手段と、
前記表示データ作成手段で作成した前記表示データを無線通信で地図表示装置に配信する配信手段とを備えることを特徴とする情報センタで用いる地図データ作成装置。
【請求項４】
請求項３に記載の地図データ作成装置において、
前記抽出手段は、前記孤立特定道路の出入口と、前記他の特定道路の出入口との間が所定距離内であることを条件として前記特定道路間道路を抽出することを特徴とする地図データ作成装置。
【請求項５】
請求項３に記載の地図データ作成装置において、
前記地図表示装置を搭載した車両から少なくとも自車位置の情報を収集する収集手段をさらに備え、
前記抽出手段は、前記収集手段で収集した前記情報に基づいて、前記他の特定道路の出口から前記孤立特定道路の入口へ走行する複数の車両が通過した経路、および前記孤立特定道路の出口から前記他の特定道路の入口へ走行する複数の車両が通過した経路を検索し、複数の経路の中から、もっとも通過車両の多い経路を前記特定道路間道路として抽出することを特徴とする地図データ作成装置。
【発明の詳細な説明】
【技術分野】
【０００１】
本発明は、一般道路に比べて高速道路や有料道路などを強調表示する地図表示装置および地図データ作成装置に関する。
【背景技術】
【０００２】
一般道路に比べて高速道路の道幅を広く表示し、高速道路を強調表示するナビゲーションシステムが従来技術として知られている（たとえば、特許文献１）。
【特許文献１】特開平１０−２５３３６８号公報
【発明の開示】
【発明が解決しようとする課題】
【０００３】
特許文献１に記載されているような従来のナビゲーションシステムでは、他の高速道路や有料道路と接続せずに孤立して高速道路または有料道路が表示され、高速道路または有料道路から一度降りて一般道路を走行し、前回走行した高速道路または有料道路とは違う高速道路または有料道路を走行する場合、わかりづらい。
【課題を解決するための手段】
【０００４】
（１）請求項１の発明の地図表示装置は、一般道路と、高速道路および有料道路を含む特定道路とを記憶する記憶手段と、記憶手段に記憶した特定道路のうち、他の特定道路と分離されている特定道路（以下、孤立特定道路）の出入口と、他の特定道路の出入口との間を接続する一般道路を特定道路間道路として抽出する抽出手段と、特定道路および抽出された特定道路間道路を一般道路に比べて強調して表示する表示データを作成する表示データ作成手段と、作成された表示データに基づいて表示モニタに地図を表示する地図表示制御手段とを備えることを特徴とする。
（２）請求項２の発明は、請求項１に記載の地図表示装置において、抽出手段は、孤立特定道路の出入口と、他の特定道路の出入口との間が所定距離内であることを条件として特定道路間道路を抽出することを特徴とする。
（３）請求項３の発明の地図データ作成装置は、一般道路と、高速道路および有料道路を含む特定道路とを記憶する記憶手段と、記憶手段に記憶した特定道路のうち、他の特定道路と分離されている特定道路（以下、孤立特定道路）の出入口と、他の特定道路の出入口との間を接続する一般道路を特定道路間道路として抽出する抽出手段と、特定道路および抽出された特定道路間道路を一般道路に比べて強調した地図の表示データを作成する表示データ作成手段と、表示データ作成手段で作成した表示データを無線通信で地図表示装置に配信する配信手段とを備えることを特徴とする。
（４）請求項４の発明は、請求項３に記載の地図データ作成装置において、抽出手段は、孤立特定道路の出入口と、他の特定道路の出入口との間が所定距離内であることを条件として特定道路間道路を抽出することを特徴とする。
（５）請求項５の発明は、請求項３に記載の地図データ作成装置において、地図表示装置を搭載した車両から少なくとも自車位置の情報を収集する収集手段をさらに備え、抽出手段は、収集手段で収集した情報に基づいて、他の特定道路の出口から孤立特定道路の入口へ走行する複数の車両が通過した経路、および孤立特定道路の出口から他の特定道路の入口へ走行する複数の車両が通過した経路を検索し、複数の経路の中から、もっとも通過車両の多い経路を特定道路間道路として抽出することを特徴とする。
【発明の効果】
【０００５】
本発明によれば、互いにネットワーク状に接続された高速道路や有料道路を含むネットワーク特定道路と、ネットワーク特定道路と分離した孤立特定道路とを強調表示するとともに、ネットワーク特定道路と孤立特定道路にそれぞれ設けられている出入口間を互いに接続する一般道路も特定道路間道路として強調表示するようにした。その結果、強調表示されたネットワーク特定道路と孤立特定道路が途切れ途切れで表示されず、高速道路または有料道路を一度降りて、一般道路を走行し、前回走行して高速道路または有料道路とは異なる高速道路または有料道路を走行したい場合には見やすい表示となる。
【発明を実施するための最良の形態】
【０００６】
−第１の実施形態−
図１は、本発明の第１の実施形態によるナビゲーション装置１を示す。ナビゲーション装置１は、地図上に表示された高速道路または有料道路を一般道路に比べて強調表示する。ナビゲーション装置１は、制御回路１１、ＲＯＭ１２、ＲＡＭ１３、現在地検出装置１４、画像メモリ１５、表示モニタ１６、スピーカ１７、入力装置１８およびディスクドライブ１９を有している。ディスクドライブ１９には、地図データが記憶されたＤＶＤ−ＲＯＭ１１０が装填されている。
【０００７】
制御回路１１は、マイクロプロセッサ及びその周辺回路からなり、ＲＡＭ１３を作業エリアとしてＲＯＭ１２に格納された制御プログラムを実行して各種の制御を行う。制御回路１１は、ＤＶＤ−ＲＯＭ１１０に記憶された地図データに基づいて所定の経路探索処理を行う。そして、その処理結果を推奨経路として表示モニタ１６に表示する。
【０００８】
現在地検出装置１４は車両の現在地を検出する装置である。現在地検出装置１４は、振動ジャイロ１４ａ、車速センサ１４ｂ、ＧＰＳ（Ｇｌｏｂａｌ  Ｐｏｓｉｔｉｏｎｉｎｇ  Ｓｙｓｔｅｍ）センサ１４ｃなどからなる。振動ジャイロ１４ａは車両の進行方向を検出し、車速センサ１４ｂは車速を検出し、ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定する。また、現在地検出装置１４により検出された車両の現在地が自車位置マークとして地図上に表示される。
【０００９】
画像メモリ１５は、表示モニタ１６に表示するための画像データを格納する。この画像データは道路地図描画用データや各種の図形データからなり、それらはＤＶＤ−ＲＯＭ１１０に記憶された地図データに基づいて、制御回路１１において適宜生成される。
【００１０】
ディスクドライブ１９は、ＤＶＤ−ＲＯＭ１１０から地図データを読み出す。地図データは、地図表示用データ、経路探索用データなどを含む。地図表示用データおよび経路探索用データには、地図データに格納されている道路のリンク情報およびノード情報が含まれている。道路のリンク情報には、リンクに対応する道路（東名高速道路、国道１号など）を識別するための識別情報、高速道路、有料道路、一般道路などの道路種別の情報が含まれる。この道路種別の情報に基づいて、線色や線種などの道路の表示方法が決定される。また、高速道路または有料道路の出入口（インターチェンジや料金所など）に対応するノードのノード情報には、高速道路または有料道路の出入口であることを示す情報が含まれる。
【００１１】
地図表示用データは、広域から詳細まで複数の縮尺の地図データを有し、ユーザの要求にしたがって、表示地図の縮尺を変更することができる。なお、ＤＶＤ−ＲＯＭ１１０以外の他の記録メディア、たとえばＣＤ−ＲＯＭやハードディスクなどより地図データを読み出してもよい。
【００１２】
表示モニタ１６は、地図データなどの各種情報に基づいて、自車位置付近の道路地図などの各種情報を画面表示としてユーザに提供する。スピーカ１７は、各種入力操作をユーザに指示したり、経路誘導したりするための音声を出力する。入力装置１８は、ユーザが各種コマンドの設定などのために操作される操作キーを有し、操作パネル上のボタンスイッチやパネル周囲のハードスイッチなどによって実現される。ユーザは、表示モニタ１６の表示画面の指示やスピーカ１７からの音声指示にしたがって入力装置１８を操作することにより、目的地を設定する。
【００１３】
目的地がユーザによって設定されると、目的地に経路探索終了点が設定される。そして、経路探索用データを用いて経路探索開始点から経路探索終了点までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは道路地図上の推奨経路を画面上で認識することができる。また、ナビゲーション装置１は、推奨経路にしたがって車両が走行できるように、ユーザに対して画面や音声などによる進行方向指示を行い、車両を経路誘導する。
【００１４】
次に、図２を参照して本発明の第１の実施形態における道路表示について説明する。図２（ａ）は、自車両が表示画面外の一般道路を走行している場合に表示モニタ１６に表示される道路地図２０の一例を示す。表示画面上には、高速道路２１ａ〜２１ｄが一般道路に比べて強調して表示されている。高速道路２１ｂ，２１ｃ，２１ｄは、互いに接続されている高速道路であり、本明細書ではネットワーク高速道路と呼ぶ。高速道路２１ａは、他の高速道路と接続していない孤立した高速道路であり、本明細書では孤立高速道路と呼ぶ。図２（ａ）に示すように、孤立高速道路２１ａの終端の出入口とネットワーク高速道路２１ｂ，２１ｃ，２１ｄのインターチェンジの出入口との間には一般道路が存在しているが、強調表示されないので、高速道路同士が途切れているように表示され、高速道路２１〜２１ｄの表示が不自然に見える。
なお、符号２４は、道路種別の表示を説明するためのヘルプ画面である。
【００１５】
図２（ｂ）は、車両が孤立高速道路２１ａを走行しているときの表示モニタ１６の表示画面を説明するための図である。表示モニタ１６の表示画面には、地図２０に重ねて自車位置マーク２３が表示される。一般道路２２ａ，２２ｂは、孤立高速道路２１ａの終端の出入口とネットワーク高速道路２１ｂに設けられている出入口間を互いに接続する一般道路であるが、下記の強調表示条件（１），（２）に合致しているため強調表示されている。
（１）同一種別の道路として接続されていること
（２）互いに一般道路で接続される出入口間の距離が所定距離以内であること
【００１６】
このような強調表示により、孤立高速道路２１ａとネットワーク高速道路２１ｂとの間の接続関係が自然に表示され、孤立高速道路２１ａとネットワーク高速道路２１ｂとの間が途切れて見えてしまう違和感を緩和することができる。なお、この実施の形態では、このように一般道路でありながら強調表示される道路を「高速間一般道路」と呼ぶ。
【００１７】
次に、本発明の第１の実施形態における道路表示処理について、図３のフローチャートを参照して説明する。図３の処理は、表示モニタ１６に地図が表示されるとスタートするプログラムにより、制御回路１１において実行される。
【００１８】
ステップＳ３０１では、現在地検出装置１４を用いて、車両の現在地を検出する。ステップＳ３０２では、車両が高速道路を走行しているか否かを判定する。車両が高速道路を走行している場合はステップＳ３０２が肯定判定され、ステップＳ３０３へ進む。車両が高速道路を走行していない場合はステップＳ３０２が否定判定され、ステップＳ３０１に戻る。
【００１９】
ステップＳ３０３では、自車位置周辺の、つまり車両の現在地からある定めた距離内にある、全ての高速道路を抽出する。ステップＳ３０４では、抽出した全ての高速道路について、表示モニタ１６に表示された地図範囲内に存在する出入口を抽出する。ステップＳ３０５では、抽出した全ての出入口に接続している道路について、同一種別のまま他の高速道路の出入口に接続しているものを抽出する。
【００２０】
ステップＳ３０６では、抽出した出入口のうち、出入口間が所定距離内となる出入口を抽出する。ステップＳ３０７では、抽出した出入口を接続する一般道路を高速間一般道路として強調表示する。たとえば、抽出した出入口をそれぞれ出発地と目的地とし、出発地から目的地まで同一種別で接続される道路であることを探索条件として推奨経路を探索し、探索された推奨経路上の道路を、抽出した出入口を接続する高速間一般道路とする。高速間一般道路の道路種別を一般道路からバイパス道などの他の種別に変更して道路を表示することにより、抽出した出入口を接続する一般道路を強調表示する。高速間一般道路に専用に割り当てた表示形態で強調表示してもよい。
【００２１】
なお、ネットワーク高速道路または孤立高速道路について抽出した一の出入口に接続されている道路を道なりに進んでネットワーク高速道路または孤立高速道路の他の出入口に到達する道路を、抽出した出入口間を接続する高速間一般道路としてもよい。
【００２２】
以上の第１の実施形態によるナビゲーション装置１は次のような作用効果を奏する。
（１）ネットワーク状に接続されている複数の高速道路、すなわちネットワーク高速道路、および、ネットワーク高速道路と分離されている孤立した高速道路、すなわち孤立高速道路を、一般道路と識別可能に強調表示する。この場合、孤立高速道路の出入口とネットワーク高速道路の出入口とを接続する高速間一般道路も強調表示する。したがって、孤立高速道路がネットワーク高速道路と接続しているかのように表示され、ユーザは、孤立高速道路とネットワーク高速道路との接続関係に違和感を覚えない。
【００２３】
（２）ユーザが強調表示された高速間一般道路に沿って走行することにより、ネットワーク高速道路から孤立高速道路への移動、あるいはその逆の移動を容易に行うことができる。すなわち、高速間一般道路の強調表示は、推奨経路としての表示機能も有する。
【００２４】
（３）孤立高速道路の出入口と、ネットワーク高速道路の出入口間が所定距離以内である接続道路を高速間一般道路として抽出して強調表示するようにした。したがって、孤立高速道路の全長と対比して、強調表示された高速間一般道路の長さが不自然に長くなるのを防止することができる。
【００２５】
−第２の実施形態−
図４は、本発明の第２の実施形態によるナビゲーションシステムを示す。ナビゲーションシステムは、車両に設けられたナビゲーション装置１Ａと情報センタ３とを含む。ナビゲーション装置１Ａと情報センタ３とはネットワーク４を介して接続している。このナビゲーションシステムでは、情報センタ３からナビゲーション装置１Ａへ、地図データが配信される。
【００２６】
情報センタ３はサーバ３１を備える。サーバ３１には、第１の実施形態ＤＶＤ−ＲＯＭ１１０に記憶した道路地図を表す地図データと、この地図データに基づいて各車両ごとに加工されて送信される地図データとが記憶される。情報センタ３は、サーバ３１に記憶した全国エリアもしくはサービス提供エリア内に存在する全ての高速道路に関するデータを対象として、ネットワーク高速道路の強調表示処理、孤立高速道路の強調表示処理、高速間一般道路の強調表示処理をそれぞれ行って記憶しておく。そして、高速道路上を走行中の車両から地図データが要求されると、当該車両の自車位置を中心とした周辺地図データを抽出して、通信装置３２より対応する車両に配信する。この地図データはネットワーク４を介してナビゲーション装置１Ａで受信される。
【００２７】
図５を参照して、ナビゲーション装置１Ａの構成について、第１の実施形態のナビゲーション装置１と異なる部分を主に説明する。ナビゲーション装置１Ａは、第１の実施形態のナビゲーション装置１と異なり、地図データを情報センタ３から取得する。したがって、情報センタ３との間でデータの送受信を行う通信装置１１１と、情報センタ３から取得した地図データを記憶するデータ記憶装置１１２を有する。
【００２８】
通信装置１１１は、無線電波を利用して情報センタ３との間でデータ通信を行う装置であり、情報センタ３から地図データを取得してデータ記憶装置１１２に記憶する。また、通信装置１１１は、車両の現在地の情報などを情報センタ３に送信する。データ記憶装置１１２は、フラッシュメモリやハードディスクなどの書き換え可能な記録媒体によって構成される。
【００２９】
第２の実施形態においても、第１の実施形態の図２（ｂ）と同様に、ナビゲーション装置１Ａの表示モニタ１６に表示される地図において、ネットワーク高速道路２１ｂ、孤立高速道路２１ａ、および高速間一般道路２２ａ，２２ｂを、他の一般道路と識別可能に強調表示する。
【００３０】
次に、本発明の第２の実施形態における地図データ配信処理について、図６のフローチャートを参照して説明する。図６の処理は情報センタ３において実行される。ナビゲーション装置１Ａは、この処理で配信されデータ記憶装置１１２に記憶された地図データを用いて、ネットワーク高速道路２１ｂ、孤立高速道路２１ａ、および高速間一般道路２２ａ，２２ｂを、他の一般道路と識別可能に強調した表示を行う。図３の処理と共通するステップには共通の符号を付し、図３の処理と異なる部分を主に説明する。
【００３１】
ステップＳ６０１では、ナビゲーション装置１Ａから地図配信を要求する車両の現在地の情報を取得する。そして、ステップＳ３０２へ進む。ステップＳ３０２が肯定判定されるとステップＳ３０３〜Ｓ３０６へ進む。
【００３２】
ステップＳ３０６の次に進むステップＳ６０２では、抽出した出入口を接続する高速間一般道路も強調表示した地図表示データを作成する。ステップＳ６０３では、作成した地図表示データをナビゲーション装置１Ａへ配信する。ナビゲーション装置１Ａは、受信した地図表示データに基づいて表示モニタ１６に図２に示すような地図を表示する。
【００３３】
以上の第２の実施形態によるナビゲーションシステムは、第１の実施形態と同様の作用効果を奏するとともに、次のような作用効果を奏する。
情報センタ３のサーバ３１、すなわち、車載ナビゲーション装置のプロセッサよりも処理速度が早いサーバ３１で地図表示データを作成するので、高速道路の強調表示処理、および、高速間一般道路の抽出／強調表示処理を短時間に実行することができる。
【００３４】
なお、第１および第２の実施形態の図２（ｂ）では、孤立高速道路の終端または基端の出入口と、ネットワーク高速道路の出入口とを接続する一般道道路を高速間一般道路として強調して示している。本発明は、孤立高速道路の終端または基端出入口以外に存在するインターチェンジなどの出入口と、ネットワーク高速道路の種々の出入口とを接続する一般道路を高速間一般道路として強調表示してもよい。
【００３５】
−第３の実施形態−
以上の第２の実施形態のナビゲーションシステムでは、孤立高速道路の出入口と、ネットワーク高速道路の出入口間が所定距離以内である接続道路を高速間一般道路として抽出して強調表示するようにした。しかし、各車両から情報センタ３に収集される車両位置情報、時刻情報などを含むプローブ情報を用いて高速間一般道路を抽出してもよい。
【００３６】
たとえば、情報センタ３は、所定時間、あるいは所定日数にわたって収集したプローブ情報に基づいて、孤立高速道路からネットワーク高速道路へ、あるいはネットワーク高速道路から孤立高速道路へ移動する車両（高速間移動車両と呼ぶ）の経路と台数を抽出する。高速間移動車両の経路は複数種類存在するので、複数の経路のうち通行量が所定レベル以上の経路を一つ選択し、高速間一般道路とする。情報センサ３は、選択した高速間一般道路を強調表示するような地図表示データを作成する。
【００３７】
なお、第２の実施形態と同様に、情報センタ３は、全国エリアもしくはサービス提供エリア内に存在する全ての高速道路を対象として、ネットワーク高速道路の強調表示処理、孤立高速道路の強調表示処理、高速間一般道路の強調表示処理をそれぞれ行い、配信用地図表示データを予め作成してサーバ３１に記憶しておく。そして、高速道路上を走行中の車両から地図データが要求されると、当該車両の自車位置を中心とした周辺地図データを抽出して、通信装置３２より対応する車両に配信する。この地図データがネットワーク４を介してナビゲーション装置１Ａで受信される。
【００３８】
次に、プローブ情報を利用して作成した地図データの配信処理について、図７のフローチャートを参照して説明する。図６の処理は情報センタ３において実行される。
【００３９】
ステップＳ７０１では、サーバ３１の地図データに基づいて孤立高速道路を抽出する。孤立高速道路の地図データには、それを識別するフラグを付しておけばよい。ステップＳ７０２では、抽出した孤立高速道路の終端もしくは基端の出入口（端部出入口と呼ぶ）を抽出する。ステップＳ７０２では、プローブ情報より、孤立高速道路の終端出口から退出し、ネットワーク高速道路の入口に至り、その高速道路に進入する車両の通過台数が最も多い一般道路を抽出する。ステップＳ７０３では、プローブ情報より、ネットワーク高速道路の出口から退出し、孤立高速道路の基端入口に至りその孤立高速道路に進入する車両の通過台数が最も多い一般道路を抽出する。ステップＳ７０４では、ステップＳ７０２およびＳ７０３で抽出した各一般道路のうち、交通量の多い道路を高速間一般道路とし、強調表示した地図表示データを作成する。
【００４０】
ステップＳ７０５では、ナビゲーション装置１Ａから地図データの配信を要求する車両の現在地の情報を取得する。ステップＳ７０６では、車両が高速道路を走行しているか否かを判定する。車両が高速道路を走行している場合はステップＳ７０６が肯定判定され、ステップＳ７０７へ進む。車両が高速道路を走行していない場合はステップＳ７０６が否定判定され、ステップＳ７０５に戻る。ステップＳ７０７では、作成した地図表示データをナビゲーション装置１Ａへ配信する。
【００４１】
第３の実施形態のナビゲーション装置でも、第１および第２の実施形態のナビゲーション装置と同様に、ネットワーク状の高速道路と孤立高速道路間の接続関係を自然に表示することができるという効果を奏することができる。
【００４２】
以上の第１の実施の形態〜第３の実施形態を次のように変形することができる。
（１）強調表示する高速間一般道路を決定する手法は上述した手法に何ら限定されない。孤立高速道路の出入口と、ネットワーク高速道路の出入口とを接続する一般道路の全てを強調表示してもよい。
【００４３】
（２）道路を強調表示するための強調方法は、道路を目立たせる表示方法であれば実施形態に限定されない。たとえば、道路の表示色を目立つ色に変更して強調表示してもよいし、道路幅を広く表示して強調表示するようにしてもよい。
【００４４】
（３）高速道路について説明したが、高速道路、有料道路、都市間高速道路、車両専用道路などの特定道路を含む表示画面内において、それら特定道路を接続する一般道路（特定道路間道路）を抽出して強調表示してもよい。
【００４５】
（４）情報センタから配信した地図データを地図表示装置が受信し、地図データに係る地図を表示する地図表示システムの場合、車載ナビゲーションシステムに限定されず、地図表示可能な携帯電話でもよい。
【００４６】
実施形態と変形例の一つ、もしくは複数を組み合わせることも可能である。変形例同士をどのように組み合わせることも可能である。
【００４７】
以上の説明はあくまで一例であり、発明は、上記の実施形態に何ら限定されるものではない。
【００４８】
特許請求の範囲の要素と実施の形態との対応関係を説明する。
本発明の記憶手段はＤＶＤ−ＲＯＭ１１０やＲＡＭ１３、あるいはデータ記憶装置１１２に対応し、抽出手段、表示データ作成手段および地図表示制御手段は制御回路１１やサーバ３１に対応する。配信手段は、通信装置３２と通信装置１１２に対応する。また、地図データ作成装置は情報センタ３のサーバ３１に対応する。なお、以上の説明はあくまで一例であり、発明を解釈する上で、上記の実施形態の構成要素と本発明の構成要素との対応関係になんら限定されるものではない。
【図面の簡単な説明】
【００４９】
【図１】本発明の第１の実施形態のナビゲーション装置の構成を示すブロック図である。
【図２】本発明の第１の実施形態における道路表示を説明するための図である。
【図３】本発明の第１の実施形態における道路表示処理を説明するためのフローチャートである。
【図４】本発明の第２の実施形態のナビゲーションシステムの概要を説明するブロック図である。
【図５】本発明の第２の実施形態のナビゲーションシステムを構成するナビゲーション装置の構成を示すブロック図である。
【図６】本発明の第２の実施形態のナビゲーションシステムにおける各種処理を説明するためのフローチャートである。
【図７】本発明の第３の実施形態のナビゲーションシステムにおける各種処理を説明するためのフローチャートである。
【符号の説明】
【００５０】
１，１Ａ  ナビゲーション装置
３  情報センタ
４  ネットワーク
１６  表示モニタ
２１ａ〜２１ｄ  孤立高速道路
２１ｂ〜２１ｄ  ネットワーク高速道路
２２ａ，２２ｂ  一般道路
【図１】
2009257878.tif 000003
【図２】
2009257878.tif 000004
【図３】
2009257878.tif 000005
【図４】
2009257878.tif 000006
【図５】
2009257878.tif 000007
【図６】
2009257878.tif 000008
【図７】
2009257878.tif 000009